(57)【要約】【課題】メンテナンス性を向上させつつ表示装置を効率良く冷却することができる表示システムを提供する。【解決手段】情報を表示する表示装置と、前記表示装置を収納する密閉ケースと、該密閉ケースの外側に設けられ、該密閉ケース内部の熱を外部に放熱させる放熱部材と、該密閉ケースの内部に設けられ、前記放熱部材に空気を導くファンと、を備える表示システムとする。【選択図】図４
2012208203.tif 000002
【特許請求の範囲】
【請求項１】
情報を表示する表示装置と、
前記表示装置を収納する密閉ケースと、
該密閉ケースの外側に設けられ、該密閉ケース内部の熱を外部に放熱させる放熱部材と、
該密閉ケースの内部に設けられ、前記放熱部材に空気を導くファンと、を備えることを特徴とする表示システム。
【請求項２】
前記放熱部材は、熱伝導性の高い金属で構成されることを特徴とする請求項１に記載の表示システム。
【請求項３】
前記放熱部材は、放熱フィンを有することを特徴とする請求項１または請求項２に記載の表示システム。
【請求項４】
太陽電池と、前記太陽電池により得られた電力を蓄電する蓄電池と、を備え、
前記表示装置は、前記太陽電池および前記蓄電池から電力を供給されることを特徴とする請求項１〜請求項３のいずれかに記載の表示システム。
【発明の詳細な説明】
【技術分野】
【０００１】
本発明は、表示システムに関する。特には太陽電池を備えた屋外表示システムに関する。
【背景技術】
【０００２】
近年、デジタルサイネージと呼ばれる、表示と通信にデジタル技術を活用して平面ディスプレイ等によって映像や情報を表示する広告媒体が登場している。これらのサイネージ端末（広告媒体）は、バス停等の公共交通機関の停留所にも用いられている（特許文献１）。
【０００３】
このような広告媒体には、屋外での使用を想定して製造された屋外向けの表示装置が利用される。屋外では、季節等による温度変動や直射日光等の影響が大きく、屋外向けの表示装置は、これらにも耐え得る仕様とすることが重要である。
【０００４】
特に真夏の炎天下等における屋外では、屋内では想定されないような高温となることがある。このような高温下では、各部品が誤作動を起こすおそれがある。また、液晶パネルが用いられている場合、液晶の変質が生じてブラックアウトが発生するおそれもある。
【０００５】
そのため屋外向けの表示装置は、自機を強力に冷却する手段を備えることが不可欠である。このような手段の一つとして、空気流を発生させる冷却用ファンを設け、吸気口から外気を表示装置内に吸い込み、排気口から外部へ空気を吐き出すことにより外気を循環させて表示装置内を冷却する方法が考えられる。
【先行技術文献】
【特許文献】
【０００６】
【特許文献１】特開２００９−２９４２８４号公報（第３図）
【発明の概要】
【発明が解決しようとする課題】
【０００７】
しかし、上記のような冷却方法では、ダストが外部より表示装置内へ混入するので、吸気口にフィルタを設ける必要がある。従って、フィルタがダストにより詰まるとフィルタの交換が必要となるが、交換作業は煩雑であり、メンテナンス性が悪化してしまう。
【０００８】
上記問題点を鑑み、本発明は、メンテナンス性を向上させつつ表示装置を効率良く冷却することができる表示システムを提供することを目的とする。
【課題を解決するための手段】
【０００９】
本発明の表示システムは、情報を表示する表示装置と、
前記表示装置を収納する密閉ケースと、
該密閉ケースの外側に設けられ、該密閉ケース内部の熱を外部に放熱させる放熱部材と、
該密閉ケースの内部に設けられ、前記放熱部材に空気を導くファンと、を備えることを特徴とする。
【００１０】
係る表示システムによれば、表示装置は密閉ケースに収納されるので外部からダストが混入することを抑えることができ、フィルタが不要となる。従って、フィルタ交換が不要となり、メンテナンス性が向上する。また、表示装置により熱せられた空気がファンにより放熱部材に導かれ、放熱部材から放熱されるので、表示装置を効率良く冷却できる。また、表示装置が密閉ケースに収納されるので、防水効果も有している。
【００１１】
また、前記放熱部材は、熱伝導性の高い金属で構成されるようにしてもよい。
【００１２】
また、前記放熱部材は、放熱フィンを有する構成としてもよい。
【００１３】
また、太陽電池と、前記太陽電池により得られた電力を蓄電する蓄電池と、を備え、前記表示装置は、前記太陽電池および前記蓄電池から電力を供給される構成としてもよい。
【発明の効果】
【００１４】
本発明の表示システムによると、メンテナンス性を向上させつつ表示装置を効率良く冷却することができる。
【図面の簡単な説明】
【００１５】
【図１】本発明の一実施形態に係る屋外表示システムの外観図である。
【図２】本発明の一実施形態に係る屋外表示システムのブロック図である。
【図３】表示装置を収納する密閉ケースの一実施形態を示す斜視図である。
【図４】図３に示す密閉ケースの前面断面図である。
【図５】表示装置を収納する密閉ケースの別の一実施形態を示す斜視図である。
【図６】図５に示す密閉ケースの前面断面図である。
【発明を実施するための形態】
【００１６】
以下に本発明の実施形態を図面を参照して説明する。本発明の一実施形態に係る屋外表示システム１００の外観図を図１に示す。
【００１７】
図１に示す屋外表示システム１００は、太陽電池１０と、設置台２０と、表示装置３０と、密閉ケース７０と、冷却ケース８０と、筐体９０と、脚部９１とを備えている。
【００１８】
太陽電池１０は、筐体９０の上方に設けられる設置台２０に設置され、受光した太陽光を光電変換することにより発電を行う。太陽電池１０により得られた電力は、コントローラ４０を介して蓄電池５０に蓄えられる（後述する図２）。蓄電池５０は、例えばリチウムイオンバッテリ（バッテリパック）である。
【００１９】
筐体９０の上方には密閉ケース７０と、密閉ケース７０に収納される表示装置３０とが配される。また、筐体９０の下方には冷却ケース８０が配される。また、筐体９０の下端部には、地面に固定可能である脚部９１が設けられており、屋外表示システム１００は屋外に固定的に設置することが可能となっている。
【００２０】
表示装置３０は、液晶パネル（ＬＣＤ）の表示パネル５を備えたＬＣＤディスプレイである。表示装置３０は、外部のコンテンツサーバや放送局などから受信したコンテンツ等を表示する。表示装置３０を収納する密閉ケース７０の前面は透明となっており、ユーザは表示装置３０前面に設けられた表示パネル５を見ることができ、コンテンツ等を見ることができる。密閉ケース７０の構成については後に詳述する。
【００２１】
屋外表示システム１００の構成を示すブロック図を図２に示す。図１とも説明が一部重複するが、屋外表示システム１００は、太陽電池１０と、表示装置３０と、コントローラ４０と、蓄電池５０と、インバータ６０、冷却用ファンＦとを備えている。表示装置３０は、受信部１と、蓄積部２と、表示制御部３と、バックライト４と、表示パネル５と、電源回路６と、制御部７と、を有している。
【００２２】
コントローラ４０は、太陽電池１０が発電した電力を表示装置３０および蓄電池５０へ供給する。なお、表示装置３０への電力供給はインバータ６０を介して行う。原則的に、コントローラ４０は、太陽電池１０が発電した電力の大部分をそのまま表示装置３０へ供給する。そして、余剰電力を蓄電池５０へ供給する。また、夜間や雨天時は、コントローラ４０は、蓄電池５０から表示装置３０へ電力供給がなされるように制御する。即ち、蓄電池５０に蓄えられた電力は、コントローラ４０とインバータ６０経由で表示装置３０へ伝送される。なお、蓄電池５０、コントローラ４０並びにインバータ６０は、冷却ケース８０（図１）に収納されて十分に冷却される。
【００２３】
表示装置３０の制御部７は、例えばＣＰＵにより構成され、表示装置３０の各部に対する制御、各部の状態情報の収集を行う。また、収集した状態情報に応じて各部の制御を行う。また、制御部７は、コントローラ４０との通信も行う。
【００２４】
表示パネル５は、実際に画像の表示を行う部分であり、本実施形態の表示装置３０では液晶表示パネルが用いられている。液晶表示パネルは、表示する画像の内容に応じてパネルの各画素に対応する液晶がオン・オフ（またはその中間状態）駆動される。
【００２５】
バックライト４は、表示パネル５に白色光を照射する。バックライト４は、例えば冷陰極管（ＣＣＦＬ）、ＬＥＤ光源が用いられる。低消費電力化のためにはＬＥＤ光源を用いることが望ましい。
【００２６】
受信部１は、外部のコンテンツサーバ（例えば、ＡＳＰサーバ、パソコンなど）あるいは放送局から無線通信（例えば、ＷｉＭＡＸ、ＩＥＥＥ８０２．１１ｂ／ｇなどの方式）により送信される信号を受信し、受信した信号に対し復調処理などを行う信号処理部などを備える。例えば、無線信号がＯＦＤＭ方式により変調されて伝送されたＭＰＥＧ２−ＴＳ形式の信号であれば、受信部１はＯＦＤＭ復調を行い、ＭＰＥＧ２−ＴＳ信号を抽出する。抽出されたＭＰＥＧ２−ＴＳ信号は、蓄積部２へ出力される。
【００２７】
蓄積部２は、受信部１により抽出されたコンテンツ等を保存する。コンテンツがリアルタイムコンテンツである場合（受信したコンテンツを即時に表示パネル５で表示するような場合）、蓄積部２はバッファメモリとして機能する。コンテンツがユーザの操作に応じて表示されるコンテンツ、あるいは予め設定されたタイムスケジュールに基づいて表示されるコンテンツである場合、蓄積部２はストレージメディアとして機能する。
【００２８】
表示制御部３は、表示パネル５における表示制御を行う。具体的には、表示させるコンテンツの内容に応じて、表示パネル５の各画素に対応する液晶の変調を行う。表示制御部３は高速な処理を必要とするため、ＣＰＵにより構成される制御部７とは別に設けられた専用のハードウェア回路により実現される。
【００２９】
電源回路６は、表示装置３０の各部に対し電源供給を行う。なお、表示パネル５、バックライト４における消費電力が他の部分と比して大きいことに鑑み、図２では、電源回路６は、表示パネル５、バックライト４に対してのみ電源供給を行うがごとく記載している。しかし、実際は、電源回路７は、受信部１、蓄積部２、表示制御部３などにも電力を供給する。
【００３０】
図３は、表示装置３０を収納する密閉ケース７０の一実施形態を示す斜視図である。なお、図３で表示装置３０は外部より透視される記載としている。また、図４は、図３に示す密閉ケース７０の前面断面図を示す。
【００３１】
図３で示す密閉ケース７０は、表示装置３０を内部に収納する矩形体状の収納部７０ａと、収納部７０ａから左右両側に突出する放熱部材７０ｂとを有している。収納部７０ａは、矩形体の左右側面に孔部７０ｃを有し、収納部７０ａの前面は表示パネル５が視認可能なように透明となっている。放熱部材７０ｂは、熱伝導性の高い金属（例えばアルミニウム等）で構成された角柱部材である。放熱部材７０ｂの一部は孔部７０ｃに埋め込まれ、残りの部分が外部に突出している。収納部７０ａと放熱部材７０ｂとによって密閉構造が構成されている。
【００３２】
また、表示装置３０の左右側面と左右の放熱部材７０ｂとの隙間の部分に冷却用ファンＦが設けられている。冷却用ファンＦの駆動制御は表示装置３０の制御部７により行われる（図２）。冷却用ファンＦが駆動されることにより、図４の矢印で示す空気流が発生する。これにより、表示装置３０により熱せられた収納部７０ａ内部の空気が放熱部材７０ｂに導かれ、導かれた空気の熱が放熱部材７０ｂに奪われ、空気が冷却される。放熱部材７０ｂに奪われた熱は、放熱部材７０ｂを伝導し外気に放出される。
【００３３】
このような構成によれば、密閉ケース７０による密閉により外部からダストが混入することがないのでフィルタを設ける必要がない。従って、フィルタ交換が不要となり、メンテナンス性を向上させることができる。また、密閉ケース７０による密閉により雨天時等の外部からの浸水を抑制することもできる。
【００３４】
図５は、表示装置３０を収納する密閉ケース７０の別の一実施形態を示す斜視図である。なお、図５で表示装置３０は外部より透視される記載としている。また、図６は、図５に示す密閉ケース７０の前面断面図を示す。
【００３５】
図５で示す実施形態では、放熱部材７０ｄの構造が先に述べた図３の実施形態と異なる点である。放熱部材７０ｄは、矩形体である基台部７０ｆと、基台部７０ｆに複数形成された放熱フィン７０ｅとを有する構造である。放熱部材７０ｄは、アルミニウム等の熱伝導性の高い金属で構成される。そして、基台部７０ｆが収納部７０ａの左右側面に形成された孔部７０ｃに埋め込まれ、放熱フィン７０ｅが外部に突出している。
【００３６】
冷却用ファンＦが駆動されることにより、図６の矢印で示す空気流が発生する。これにより、表示装置３０により熱せられた収納部７０ａ内部の空気が放熱部材７０ｄに導かれ、導かれた空気の熱が放熱部材７０ｄに奪われ、空気が冷却される。放熱部材７０ｄに奪われた熱は、基台部７０ｆを伝導し、放熱フィン７０ｅから外気に放出される。
【００３７】
以上、本発明の実施形態について説明したが、本発明の趣旨の範囲内であれば、実施形態は種々変更が可能である。
【００３８】
例えば、密閉ケース内部には、表示装置に表示するコンテンツを収納するためのハードディスクや表示装置を制御するソフトウェアを搭載したコンピュータ（例：ＰＣ）又はこれを設置するための場所が設けられていてもよい。
【００３９】
また例えば、表示装置３０の表示部として液晶表示パネルを例として説明したが、これに代えて、プラズマパネル、有機ＥＬ、電子ペーパー、ＣＲＴあるいは広告フィルムなどでもよい。
【００４０】
なお、本発明の表示システムには、通常の商用電源で駆動されるデジタルサイネージも含まれるとする。
【符号の説明】
【００４１】
１０  太陽電池
２０  設置台
３０  表示装置
４０  コントローラ
５０  蓄電池
６０  インバータ
７０  密閉ケース
７０ａ  収納部
７０ｂ  放熱部材
７０ｃ  孔部
７０ｄ  放熱部材
７０ｅ  放熱フィン
７０ｆ  基台部
８０  冷却ケース
９０  筐体
９１  脚部
１００  屋外表示システム
Ｆ  冷却用ファン
【図１】
2012208203.tif 000003
【図２】
2012208203.tif 000004
【図３】
2012208203.tif 000005
【図４】
2012208203.tif 000006
【図５】
2012208203.tif 000007
【図６】
2012208203.tif 000008